(57)【要約】【課題】現像時にトラブルが発生した場合に、少なくとも新品の像担持体についてはこれを傷つけることなく装着することができるようにする。【解決手段】潜像が形成される像担持体２１と、複数の現像器４２を選択的に像担持体２１に対向させて像担持体２１の潜像を現像する現像器移動型の現像装置４０とを備え、像担持体２１が装置本体に対して着脱可能に構成された画像形成装置であって、像担持体２１の着脱時に開閉される像担持体用カバーが設けられているとともに、像担持体２１が未装着状態であっても像担持体用カバーが閉じられた時に、現像装置４０における現像器２０の移動を可能とする駆動回路が設けられている。【選択図】　　　　図１
2004012955.tif 000002
【特許請求の範囲】
【請求項１】
潜像が形成される像担持体と、複数の現像器を選択的に前記像担持体に対向させて像担持体の潜像を現像する現像器移動型の現像装置とを備え、前記像担持体が装置本体に対して着脱可能に構成された画像形成装置であって、
前記像担持体の着脱時に開閉される像担持体用カバーが設けられているとともに、前記像担持体が未装着状態であっても前記像担持体用カバーが閉じられた時に、前記現像装置における現像器の移動を可能とする駆動回路が設けられていることを特徴とする画像形成装置。
【発明の詳細な説明】
【０００１】
【発明の属する技術分野】
本発明は、電子写真技術を用いて画像を形成するプリンター、ファクシミリ、複写機等の画像形成装置に関する。主としてカラー画像を形成するのに用いられる現像器移動型の現像装置を備えた画像形成装置におけるその現像装置の駆動制御技術に関するものである。
【０００２】
【従来の技術】
一般に、電子写真技術を用いた画像形成装置は、像担持体として外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
カラー画像形成装置の場合、像担持体には各色（例えば、イエロー、マゼンタ、シアン、ブラック）用の潜像が形成され、各潜像が各色用の現像器で現像される。
【０００３】
現像手段としては、複数の（各色用の）現像器を選択的に像担持体に対向させて（接触あるいは極僅かな間隔を隔てて近接させて）像担持体の潜像を現像する現像器移動型の現像装置が知られている。
図１２は現像器移動型の現像装置の一例であるロータリ現像装置を示す図で、図中、１は像担持体としての感光体、２がロータリ現像装置である。なお、図（ａ）は待機位置を、図（ｂ）は現像位置を、図（ｃ）は現像器交換位置を示している。像担持体１はユニット１ａとして構成されることが多い。
【０００４】
ロータリ現像装置２は、画像形成装置本体に対して回転可能に設けられ、図示しない駆動回路および駆動機構により回転駆動される回転体本体３と、この回転体本体３に設けられ、それぞれトナー（各色用のトナー）が収容された複数の現像器４とを備えている。図示のものは、イエロー用の現像器４Ｙと、マゼンタ用の現像器４Ｍと、シアン用の現像器４Ｃと、ブラック用の現像器４Ｋとが設けられていて、現像時には回転体本体３が矢印ａ方向に９０度ピッチで回転することによって、感光体１に各現像器の現像ローラ４ａを選択的に当接（あるいは極僅かな間隔を隔てて近接）させ、感光体１の表面を選択的に現像する（図（ｂ）参照）ことが可能となっている。
【０００５】
現像器４（Ｙ，Ｍ，Ｃ，Ｋ）は、トナーがなくなった際に交換することができるように、カートリッジとして構成されており、回転体本体３に対して着脱可能に構成されている。
図中、５は画像形成装置本体に設けられた開口であり、この開口５から現像器４を抜き差しすることによって現像器４を回転体本体３に対して着脱することができる。
すなわち、図（ｃ）に示すように、開口５と現像器４（図（ｃ）ではイエロー用の現像器４Ｙ）が対向させた状態で、その現像器４を抜き差しすることができるようになっている。
なお、３ａは回転体本体３の軸端部に設けられていて回転体本体３とともに回転する位置検出板、３ｂは画像形成装置本体側に固定されていて位置検出板の切り欠きを検出するセンサである。
【０００６】
一方、感光体１も、その寿命に応じて（あるいはメンテナンス等のために）、画像形成装置本体に対して着脱可能に構成されている。
【０００７】
例えば、以上のように、感光体１が着脱可能に構成されている画像形成装置においては、感光体１が装着されていない状態での装置の作動を停止させるためのインターロック機構（ないしインターロック回路）が設けられている。
【０００８】
【発明が解決しようとする課題】
従来の画像形成装置によると、感光体１が装着されていない状態では装置の作動が停止されるため、次のような問題が生じていた。
すなわち、図１２（ｂ）に示したように、感光体１に現像ローラ４ａが当接（あるいは極僅かな間隔を隔てて近接）している現像位置にあるときに、何らかのトラブル（例えば停電や紙詰まり等）が発生して画像形成装置の作動が停止した際、その状態のままでユーザが感光体１を着脱操作してしまうおそれがあった。
このように、現像装置が現像位置にある状態のままで、感光体１が着脱操作されると、その着脱操作時には感光体１が現像ローラ４に当接（あるいは極僅かな間隔を隔てて近接）していることとなるので、感光体１の表面に傷が付いてしまうおそれがある。
特に、使用済みの感光体を取り外して新品の感光体（像担持体）を装着した場合、その新品の感光体までもが傷ついてしまうおそれがあった。
【０００９】
この発明の目的は、以上のような問題を解決し、現像時においてトラブルが発生した場合に、少なくとも新品の像担持体についてはこれを傷つけることなく装着することができる画像形成装置を提供することにある。
【００１０】
【課題を解決するための手段】
上記目的を達成するために請求項１記載の画像形成装置は、潜像が形成される像担持体と、複数の現像器を選択的に前記像担持体に対向させて像担持体の潜像を現像する現像器移動型の現像装置とを備え、前記像担持体が装置本体に対して着脱可能に構成された画像形成装置であって、
前記像担持体の着脱時に開閉される像担持体用カバーが設けられているとともに、前記像担持体が未装着状態であっても前記像担持体用カバーが閉じられた時に、前記現像装置における現像器の移動を可能とする駆動回路が設けられていることを特徴とする。
【００１１】
【作用効果】
請求項１記載の画像形成装置は、潜像が形成される像担持体と、複数の現像器を選択的に前記像担持体に対向させて像担持体の潜像を現像する現像器移動型の現像装置とを備え、前記像担持体が装置本体に対して着脱可能に構成された画像形成装置であって、前記像担持体の着脱時に開閉される像担持体用カバーが設けられているとともに、前記像担持体が未装着状態であっても前記像担持体用カバーが閉じられた時に、前記現像装置における現像器の移動を可能とする駆動回路が設けられているので、この請求項１記載の画像形成装置によれば、次のような作用効果が得られる。
すなわち、像担持体が未装着状態であっても像担持体用カバーが閉じられた時に、現像装置における現像器の移動を可能とする駆動回路が設けられているので、現像装置における現像器が現像位置にあるときに何らかのトラブル（例えば停電や紙詰まり等）が発生して画像形成装置の作動が停止し、その状態のままで像担持体を取り外し、その後像担持体を装着する際には、像担持体を装着する前に（像担持体を装着することなく）、かつ例えば停電時の場合には給電が復旧した後に、あるいは紙詰まりの場合にはこれを解消した後に、像担持体用カバーを一旦閉じることによって、現像装置における現像器を、像担持体を傷つけない位置に移動させることができる。
したがって、その後再び像担持体用カバーを開いて像担持体を装着することによって、像担持体を傷つけることなく装着することができるようになる。
以上のように、この画像形成装置によれば、現像装置が現像位置にあるときに何らかのトラブルが発生して画像形成装置の作動が停止した後に、像担持体を着脱する際、装着時における像担持体の傷付きを防止することができる。
したがって、少なくとも新品の像担持体についてはこれを傷つけることなく装着することが可能となる。
【００１２】
【発明の実施の形態】
以下、本発明の実施の形態について図面を参照して説明する。
図１は本発明に係る画像形成装置の一実施の形態の内部構造を示す概略正面図である。
この画像形成装置は、用紙の両面にフルカラー画像を形成することのできるカラー画像形成装置であり、装置本体のケース１０と、このケース１０内に収容された、像担持体ユニット２０と、露光手段としての露光ユニット３０と、現像手段としての現像装置４０と、中間転写体ユニット５０と、定着手段としての定着ユニット（定着器）６０とを備えている。
【００１３】
ケース１０内には装置本体の図示しないフレームが設けられており、このフレームに各ユニット等が取り付けられている。
【００１４】
像担持体ユニット２０は、外周面に感光層を有する感光体（像担持体）２１と、この感光体２１の外周面を一様に帯電させる帯電手段（コロナ帯電器）２２とを有しており、この帯電手段２２により一様に帯電させられた感光体２１の外周面を露光ユニット３０からのレーザー光Ｌで選択的に露光して静電潜像を形成し、この静電潜像に現像装置４０で現像剤であるトナーを付与して可視像（トナー像）とし、このトナー像を中間転写体ユニット５０の中間転写ベルト５１に一次転写部Ｔ１で一次転写し、さらに、二次転写部Ｔ２で、転写対象である用紙に二次転写させるようになっている。
像担持体ユニット２０には、一次転写後に感光体２１の表面に残留しているトナーを除去するクリーニング手段（クリーニングブレード）２３と、このクリーニング手段２３で除去された廃トナーを収容する廃トナー収容部２４が設けられている。
像担持体ユニット２０（したがって感光体２１）は、後述するように装置本体に対して着脱可能に構成されている。
【００１５】
ケース１０内には、上記二次転写部Ｔ２により片面に画像が形成された用紙をケース１０上面の排紙トレイ部１５に向けて搬送する搬送路１６と、この搬送路１６により排紙トレイ部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【００１６】
現像装置４０は現像器移動型であるロータリ現像装置であり、後述する駆動回路および図示しない駆動機構により回転駆動される回転体本体４１に対して、それぞれトナーが収容された複数の現像器カートリッジが着脱可能に装着されている。この実施の形態では、イエロー用の現像器カートリッジ４２Ｙと、マゼンタ用の現像器カートリッジ４２Ｍと、シアン用の現像器カートリッジ４２Ｃと、ブラック用の現像器カートリッジ４２Ｋとが設けられていて、回転体本体４１が矢印ａ方向に９０度ピッチで回転することによって、感光体２１に現像ローラ４３を選択的に当接させ、感光体２１の表面を選択的に現像することが可能となっている。
【００１７】
露光ユニット３０は、板ガラス等で構成された露光窓３１から上記レーザー光Ｌを感光体２１に向けて照射するようになっている。
【００１８】
中間転写体ユニット５０は、図示しないユニットフレームと、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
また、上記ローラ５５に対向させて、クリーニングユニット７０が配置されている。クリーニングユニット７０は、二次転写後に中間転写ベルト５１の表面に残留しているトナーを除去するためのものであり、中間転写ベルト５１の幅方向（図１の紙面と直交する方向）において、ベルト幅略全長に亘って設けられたユニットケース７１と、このユニットケース内において、回動可能に設けられ、中間転写ベルト５１に対して接離可能なクリーニングブレード７２とを備えている。
【００１９】
したがって、カラー画像を形成する際には、二次転写ローラ１０ｂおよびクリーニングブレード７２が中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって用紙上にカラー画像（トナー像）が転写され、この二次転写後にクリーニングブレード７２が中間転写ベルト５１に当接して中間転写体５１上の残留トナーが除去されることとなる。
トナー像が転写された用紙は、定着ユニット６０の加熱ローラ対６１を通ることでトナー像が溶融定着され、上記排紙トレイ部１５に向けて排出される。
【００２０】
図２〜図４はそれぞれ以上のような画像形成装置の外観斜視図である。
これらの図に示すように、装置本体１０には、電源スイッチ８０（図２）と、像担持体ユニット２０の着脱時に開閉される像担持体用カバー８１と、この像担持体用カバー８１が開かれた際に露出し、現像カートリッジ４２の着脱時に開閉される現像カートリッジ用カバー８２と、同じく像担持体用カバー８１が開かれた際に露出する、交換カートリッジ選択スイッチ８３とが設けられている。
【００２１】
図３に示すように、像担持体用カバー８１を開くと像担持体ユニット２０の手前側が露出するので、その取っ手２０ａを持って像担持体ユニット２０を抜き差しすることで像担持体ユニット２０を装置本体１０に対して着脱することができる。なお、８４は像担持体ユニット２０のロックレバーであり、このロックレバーを矢印ｂ方向へ回動させてロックを解除した状態で像担持体ユニット２０を抜き差しする。
【００２２】
さらに図４に示すように、像担持体用カバー８１を開いた状態で現像カートリッジ用カバー８２を開くと、装置本体１０に設けられた、現像カートリッジ交換用の穴１０ｃおよび現像カートリッジ４２の手前側が露出するので、その取っ手４２ａを持って現像カートリッジ４２を抜き差しすることで現像カートリッジ４２を装置本体１０（現像装置４０の回転体本体４１）に対して着脱することができる。
【００２３】
交換カートリッジ選択スイッチ８３は、交換する現像カートリッジ４２（Ｙ，Ｍ，Ｃ，Ｋのうちのいずれか）を選択するためのスイッチであり、イエローの現像器カートリッジ４２Ｙを選択するためのスイッチボタンＹと、マゼンタ用の現像器カートリッジ４２Ｍを選択するためのスイッチボタンＭと、シアン用の現像器カートリッジ４２Ｃを選択するためのスイッチボタンＣと、ブラック用の現像器カートリッジ４２Ｋを選択するためのスイッチボタンＫとを有している。
図３に示すように、現像カートリッジ用カバー８２を閉じた状態で、スイッチボタンＹを押すと回転体本体４１が回転してイエローの現像器カートリッジ４２Ｙのみが前記交換用穴１０ｃに臨み、スイッチボタンＭを押すと同様にしてマゼンタ用の現像器カートリッジ４２Ｍのみが交換用穴１０ｃに臨み、スイッチボタンＣを押すと同様にしてシアン用の現像器カートリッジ４２Ｃのみが交換用穴１０ｃに臨み、スイッチボタンＫを押すと同様にしてブラック用の現像器カートリッジ４２Ｋのみが交換用穴１０ｃに臨むようになっている。
したがって、実際に現像カートリッジ４２を交換する際には、先ず図３に示すように像担持体用カバー８１を開け、現像カートリッジ用カバー８２を閉じた状態で、交換しようとする色用のスイッチボタン（Ｙ，Ｍ，Ｃ，Ｋのうちのいずれか）を押し、その後、現像カートリッジ用カバー８２を開いてその色の現像カートリッジ４２を交換する。
【００２４】
図５は主として現像装置４０の回転体本体４１を回転駆動する駆動回路を示す図である。この駆動回路は、以下に説明するように画像構成装置におけるカバーが開かれた際に、上記各部の作動を停止させるインターロック回路も構成している。
図６は上記駆動回路中に設けられたスイッチＳＷ（Ａ〜Ｅ）と、上記像担持体用カバー８１、現像カートリッジ用カバー８２、および感光体２１（像担持体ユニット２０）との連動関係を示した表である。
【００２５】
図５において、４４は現像装置４０の回転体本体（ロータリ）４１を回転駆動する駆動モータ、４５は駆動モータの制御基板（制御回路）である。
上記駆動モータ４４（およびその制御基板４５）と、電源回路４６との間には、スイッチＳＷ・Ｂが直列に介装されているとともに、スイッチＳＷ・Ｃ、およびスイッチＳＷ・Ａが並列に介装されている。
また、電源回路４６と、感光体２１等の駆動モータ部、高圧電源部との間にはスイッチＳＷ・Ｄが直列に介装され、電源回路４６と露光ユニット３０との間には上記スイッチＳＷ・Ｅが直列に介装されている。
【００２６】
スイッチＳＷ・Ａは、図３に示すように、装置本体１０のフレーム１０ｆの内側に設けられている。
同図に示すように、像担持体用カバー８１の内側には、先端が傾斜した突起８１ａが設けられているとともに、フレーム１０ｆには、像担持体用カバー８１が閉じられた際にその突起８１ａが貫通する穴１０ｇが設けられている。
フレーム１０ｆの内側には、図７に示すように、像担持体用カバー８１の開閉とスイッチＳＷ・ＡのＯＮ／ＯＦＦとを連動させるためのスライダ８５が設けられている。
【００２７】
スライダ８５は、図８に示すように、その長穴８５ａ、８５ａに挿通された本体側のピン１０ｈ、１０ｈにより矢印Ｘ１，Ｘ２方向へスライド可能に支持されているが、スライダ８５のバネ掛け部８５ｂと本体側のバネ掛け部１０ｉとの間に張設されたバネ８５ｅによって常時矢印Ｘ２方向へ付勢されている。
スライダ８５が図８に示すように矢印Ｘ２方向へスライドした状態にあるとき、スイッチＳＷ・Ａの作動子ａ１に対するスライダ８５の押し付け部８５ｃは同図に示す位置にあって作動子ａ１をスイッチＳＷ・Ａの接点ａ２から離間させており、したがってスイッチＳＷ・ＡはＯＦＦとなっている。
一方、図３および図７に示す状態から像担持体用カバー８１が閉じられると、その突起８１ａの先端傾斜部がフレーム１０ｆの穴１０ｇを貫通して、図９に示すように、スライダ８５の当接部８５ｄに当接し、スライダ８５をバネ８５ｅの付勢力に抗して矢印Ｘ１方向へスライドさせる。これによって、スライダ８５の押し付け部８５ｃがスイッチＳＷ・Ａの作動子ａ１を接点ａ２に押し付け、スイッチＳＷ・ＡがＯＮすることとなる。
したがってまた、像担持体用カバー８１が開かれると、スライダ８５がバネ８５ｅの引っ張り力によって矢印Ｘ２方向へスライドし、作動子ａ１が接点ａ２から離間してスイッチＳＷ・ＡがＯＦＦすることとなる。
【００２８】
スイッチＳＷ・Ｄは、図３に示すように、装置本体１０のフレーム１０ｆの内側に設けられている。
同図に示すように、像担持体用カバー８１の内側には、前記突起８１ａとは別の、先端が傾斜した第２の突起８１ｂが設けられているとともに、フレーム１０ｆには、像担持体用カバー８１が閉じられた際にその第２突起８１ｂが貫通する穴１０ｊが設けられている。
フレーム１０ｆの内側には、像担持体用カバー８１の開閉とスイッチＳＷ・ＤとのＯＮ／ＯＦＦとを連動させるための連動機構８６が設けられており、像担持体用カバー８１が閉じた状態ではスイッチＳＷ・ＤがＯＮし、像担持体用カバー８１が開かれるとスイッチＳＷ・ＤがＯＦＦするように構成されている。また、この連動機構８６は、画像形成装置の側面カバー８７、上面カバー８８とも連動しており、側面カバー８７、上面カバー８８のいずれかが開かれてもスイッチＳＷ・ＤがＯＦＦするように構成されている。すなわち、スイッチＳＷ・Ｄは、上述した全てのカバーが閉じられた状態（像担持体用カバー８１が閉じられているということは現像カートリッジ用カバー８２も閉じられているということである）でのみＯＮし、上述した全てのカバーのうちのいずれか一つでも開けられるとＯＦＦするようになっている（現像カートリッジ用カバー８２が開かれるということは像担持体用カバー８１が開かれているということである）。上記連動機構８６の詳細は、本件出願人による先願である特願２００２−９０７８８に記載されている。
【００２９】
スイッチＳＷ・Ｂは、図４に示すように、装置本体１０のフレーム１０ｆの内側に設けられている。
同図に示すように、現像カートリッジ用カバー８２の内側上部には、突起８２ａが設けられているとともに、フレーム１０ｆには、像担持体用カバー８１が閉じられた際にその突起８２ａが貫通する穴１０ｋが設けられている。
図１０（ａ）（ｂ）に示すように、穴１０ｋの内側には、スイッチＳＷ・Ｂの作動子ｂ１が臨んでいる。
したがって、図１０（ａ）および図１１、図３（あるいは図２）に示すように、現像カートリッジ用カバー８２が閉じられると、その突起８２ａが穴１０ｋを貫通してスイッチＳＷ・Ｂの作動子ｂ１が接点ｂ２に押し付けられてスイッチＳＷ・ＢがＯＮし、図１０（ｂ）および図４に示すように現像カートリッジ用カバー８２が開かれると、その突起８２ａによる押しつけが解除されて作動子ｂ１が自身のバネ性によって元位置に復帰し接点ｂ２から離間してスイッチＳＷ・ＢがＯＦＦするようになっている。
【００３０】
スイッチＳＷ・Ｃは、図７に示すように、像担持体ユニット２０の挿入方向奥部において本体側に設けられており、像担持体ユニット２０（したがって感光体２１）が挿入されると（装着されると）ＯＮし、像担持体ユニット２０が抜かれるとＯＦＦするようになっている。このスイッチＳＷ・ＣのＯＮ／ＯＦＦ構成は、上記スイッチＳＷ・Ｂと同様に構成することができる。
【００３１】
スイッチＳＷ・Ｅは、図３に示すように、装置本体１０のフレーム１０ｆの内側に設けられている。
同図に示すように、像担持体用カバー８１の内側には、前記突起８１ａ、８１ｂとは別の、第３の突起８１ｃが設けられているとともに、フレーム１０ｆには、像担持体用カバー８１が閉じられた際にその第３突起８１ｃが貫通する穴１０ｍが設けられている。したがって、スイッチＳＷ・Ｅは、像担持体用カバー８１が閉じられるとＯＮし、像担持体用カバー８１が開かれるとＯＦＦするようになっている。このスイッチＳＷ・ＥのＯＮ／ＯＦＦ構成は、上記スイッチＳＷ・Ｂと同様に構成することができる。
【００３２】
以上から明らかなように、また、図６に示したスイッチＳＷ（Ａ〜Ｅ）と上記像担持体用カバー８１、現像カートリッジ用カバー８２、および感光体２１（像担持体ユニット２０）との連動関係を示した表からも明らかなように、図５に示した駆動回路は、像担持体（像担持体ユニット２０）が未装着状態（スイッチＳＷ・ＣがＯＦＦ）であっても像担持体用カバー８１が閉じられた時に、スイッチＳＷ・ＢおよびスイッチＳＷ・ＡがＯＮとなって、現像装置４０における回転体本体４１を駆動モータ４４で回転可能とし、現像器４２の移動を可能とするように構成されている。
また、像担持体用カバー８１が開かれた状態（スイッチＳＷ・ＡがＯＦＦ）、および／または像担持体ユニット２０が未装着の状態（スイッチＳＷ・ＣがＯＦＦ）であっても、現像カートリッジ用カバー８２を閉じた状態（スイッチＳＷ・ＢがＯＮ）とすれば、交換カートリッジ選択スイッチ８３を操作することにより、現像装置４０における回転体本体４１を駆動モータ４４で回転させて、現像器４２を移動させることができるようになっている。
【００３３】
以上のような画像形成装置は、潜像が形成される像担持体２１と、複数の現像器４２を選択的に像担持体２１に対向させて像担持体２１の潜像を現像する現像器移動型の現像装置４０とを備え、像担持体２１が装置本体１０に対して着脱可能に構成された画像形成装置であって、像担持体２１の着脱時に開閉される像担持体用カバー８１が設けられているとともに、像担持体２１が未装着状態であっても像担持体用カバー８１が閉じられた時に、現像装置４０における現像器４２の移動を可能とする駆動回路（図５参照）が設けられているので、この画像形成装置によれば、次のような作用効果が得られる。
すなわち、像担持体２１（像担持体ユニット２０）が未装着状態（スイッチＳＷ・ＣがＯＦＦ）であっても像担持体用カバー８１が閉じられた時に、現像装置４０における現像器４２の移動を可能とする駆動回路が設けられているので、現像装置４０における現像器４２が現像位置（図１２（ｂ）参照）にあるときに何らかのトラブル（例えば停電や紙詰まり等）が発生して画像形成装置の作動が停止し、その状態のままで像担持体２１を取り外し、その後像担持体２１を装着する際には、像担持体２１を装着する前に（像担持体２１を装着することなく）、かつ例えば停電時の場合には給電が復旧した後に、あるいは紙詰まりの場合にはこれを解消した後に、像担持体用カバー８１を一旦閉じる（スイッチＳＷ・ＡをＯＮにする）ことによって、現像装置４０における現像器４２を、像担持体２１を傷つけない位置（図１２（ａ）または（ｃ）参照）に移動させることができる。
したがって、その後再び像担持体用カバー８１を開いて像担持体２１を装着することによって、像担持体２１を傷つけることなく装着することができるようになる。
以上のように、この画像形成装置によれば、現像装置４０が現像位置にあるときに何らかのトラブルが発生して画像形成装置の作動が停止した後に、像担持体２１を着脱する際、装着時における像担持体２１の傷付きを防止することができる。
したがって、少なくとも新品の像担持体２１についてはこれを傷つけることなく装着することが可能となる。
【００３４】
以上、本発明の実施の形態について説明したが、本発明は上記の実施の形態に限定されるものではなく、本発明の要旨の範囲内において適宜変形実施可能である。
【００３５】
【発明の効果】
請求項１記載の画像形成装置によれば、現像装置が現像位置にあるときに何らかのトラブルが発生して画像形成装置の作動が停止した後に、像担持体を着脱する際、装着時における像担持体の傷付きを防止することができる。
したがって、少なくとも新品の像担持体についてはこれを傷つけることなく装着することが可能となる。
【００３６】
【図面の簡単な説明】
【図１】本発明に係る画像形成装置の一実施の形態の内部構造を示す概略正面図。
【図２】全てのカバーが閉じられた状態の外観斜視図。
【図３】像担持体用カバー８１が開かれた状態の外観斜視図。
【図４】像担持体用カバー８１および現像カートリッジ用カバー８２が開かれた状態の外観斜視図。
【図５】駆動回路を示す図。
【図６】駆動回路中に設けられたスイッチＳＷ（Ａ〜Ｅ）と、像担持体用カバー８１、現像カートリッジ用カバー８２、および感光体２１（像担持体ユニット２０）との連動関係を示した図。
【図７】スイッチＳＷ・Ａ、スイッチＳＷ・Ｃ、像担持体ユニット２０、および像担持体用カバー８１を示す斜視図。
【図８】スイッチＳＷ・Ａの作動説明正面図。
【図９】スイッチＳＷ・Ａの作動説明正面図。
【図１０】（ａ）（ｂ）はスイッチＳＷ・Ｂの作動説明平面図。
【図１１】スイッチＳＷ・Ｂと現像カートリッジ用カバー８２との関係を示す斜視図。
【図１２】（ａ）（ｂ）（ｃ）は現像器移動型の現像装置の一例を示す図。
【符号の説明】
２１　　感光体（像担持体）
４０　　ロータリ現像装置（現像装置）
４２　　現像カートリッジ（現像器）
８１　　像担持体用カバー
【図１】
2004012955.tif 000003
【図２】
2004012955.tif 000004
【図３】
2004012955.tif 000005
【図４】
2004012955.tif 000006
【図５】
2004012955.tif 000007
【図６】
2004012955.tif 000008
【図７】
2004012955.tif 000009
【図８】
2004012955.tif 000010
【図９】
2004012955.tif 000011
【図１０】
2004012955.tif 000012
【図１１】
2004012955.tif 000013
【図１２】
2004012955.tif 000014